(57)【要約】【課題】任意の過去時刻における状態を画面で確認できる過去断面再生装置および監視制御システムを提供する。【解決手段】監視制御システムは、複数の機器の状態を監視制御する監視制御装置２０と、過去の任意の時刻における状態を再現する過去断面再生装置１０とを備える。監視制御装置２０は、複数の機器の状態を監視制御し、最新のデータに更新して保存する監視制御サーバ機能部３を有する。過去断面再生装置１０は、監視制御サーバ機能部３と接続され、監視制御サーバ機能部３における機器の状態変化のデータを連続的に保存する過去断面再生サーバ機能部１と、機器の任意の時刻の状態および状態の変化を過去断面再生サーバ機能部１から取得し画面に表示する過去断面再生画面表示機能部２と、を有する。【選択図】図１
2015230644.tif 000002
【特許請求の範囲】
【請求項１】
複数の機器の状態を監視制御し、最新のデータに更新して保存する監視制御装置の監視制御サーバ機能部と接続され、
前記監視制御サーバ機能部における前記機器の状態変化のデータを連続的に保存する過去断面再生サーバ機能部と、
前記機器の任意の時刻の状態および状態の変化を前記過去断面再生サーバ機能部から取得して画面に表示する過去断面再生画面表示機能部と、を有することを特徴とする過去断面再生装置。
【請求項２】
前記過去断面再生サーバ機能部は、前記機器の実際の状態の変化分を保存するとともに、一定の周期で全ての状態を保存することを特徴とする請求項１記載の過去断面再生装置。
【請求項３】
前記過去断面再生サーバ機能部は、設備データが更新されたことを検出すると前記設備データを記録して前記設備データの履歴を保存し、前記過去断面再生画面表示機能部が任意の時刻の設備データを復元および表示することを特徴とする請求項１記載の過去断面再生装置。
【請求項４】
前記過去断面再生画面表示機能部は、前記機器の状態変化データを前記過去断面再生サーバ機能部から予め読み込み、主メモリにキャッシュすることを特徴とする請求項１記載の過去断面再生装置。
【請求項５】
前記過去断面再生サーバ機能部は、前記監視制御サーバ機能部からイベントデータを取得保存し、前記過去断面再生画面表示機能部は、前記過去断面再生サーバ機能部から前記イベントデータを取得するとともに、取得したイベント一覧から表示時刻を指定できるようにしたことを特徴とする請求項１記載の過去断面再生装置。
【請求項６】
前記過去断面再生画面表示機能部は、特定の状態変化を指定して再生することを特徴とする請求項４記載の過去断面再生装置。
【請求項７】
前記過去断面再生画面表示機能部は、再生した過去断面を保存し、前記過去断面再生サーバ機能部が無くとも過去断面を再生することを特徴とする請求項１記載の過去断面再生装置。
【請求項８】
前記過去断面再生画面表示機能部は、再生した過去断面に修正を加えた状態を保存し、再生することを特徴とする請求項７記載の過去断面再生装置。
【請求項９】
前記過去断面再生画面表示機能部は、特定の時間帯を保存し、前記過去断面再生サーバ機能部が無くとも過去断面を連続再生することを特徴とする請求項１記載の過去断面再生装置。
【請求項１０】
複数の機器の状態を監視制御する監視制御装置と、過去の任意の時刻における状態を再現する過去断面再生装置とを備え、
前記監視制御装置は、前記複数の機器の状態を監視制御し、最新のデータに更新して保存する監視制御サーバ機能部を有し、
前記過去断面再生装置は、前記監視制御サーバ機能部と接続され、前記監視制御サーバ機能部における前記機器の状態変化のデータを連続的に保存する過去断面再生サーバ機能部と、前記機器の任意の時刻の状態および状態の変化を前記過去断面再生サーバ機能部から取得し画面に表示する過去断面再生画面表示機能部と、を有することを特徴とする監視制御システム。
【発明の詳細な説明】
【技術分野】
【０００１】
本発明の実施形態は、過去の任意の時刻における状態等を効率良く再生できる過去断面再生装置および監視制御システムに関する。
【背景技術】
【０００２】
変電所等の監視および制御を実施する監視制御装置に関して、監視制御のためのオンラインデータを管理する機構についての多数の提案がなされている。一方、過去に発生した状態を確認する手段については提供されていないものが多い。アナログ情報や装置故障情報などの監視制御装置が管理する全てのデータを提供するためには、多数のデータが必要とされる。このため、過去に関する情報について、従来の監視制御装置では、機器の開閉状態の変化などに絞って過去イベント画面で提供するなど限定的な情報しか提供していない。
【０００３】
監視制御装置では、装置状態や系統状態などを電気的接続（単線結線図など）で画面にグラフィカルに表示しているものが多いのに対し、過去の断面を見られるのはイベント画面やアナログトレンドなど、異なる提供方法に頼っていた。このため、発生した事象を確認するには、開閉器の状態をイベントで確認し、更にその時点のアナログトレンドを見て確認するという方法に限定されていた。
【先行技術文献】
【特許文献】
【０００４】
【特許文献１】特開２００９−３０３４６２号公報
【発明の概要】
【発明が解決しようとする課題】
【０００５】
上述のように、従来の監視制御装置では、任意の過去時刻における状態を監視制御装置の画面で確認することが難しいという課題があった。さらに、過去時刻の前後に発生した状態変化を連続的に確認することが困難であった。
【０００６】
本発明の実施形態は、これらの問題を解決し、任意の過去時刻における状態を画面で確認できる過去断面再生装置および監視制御システムを提供することを目的とする。また、本発明の実施形態は、過去時刻の前後に発生した状態変化を連続的に確認できる過去断面再生装置および監視制御システムを提供することも目的とする。
【課題を解決するための手段】
【０００７】
上述の目的を達成するため、本発明の実施形態の過去断面再生装置は、複数の機器の状態を監視制御し、最新のデータに更新して保存する監視制御装置の監視制御サーバ機能部と接続され、前記監視制御サーバ機能部における前記機器の状態変化のデータを連続的に保存する過去断面再生サーバ機能部と、前記機器の任意の時刻の状態および状態の変化を前記過去断面再生サーバ機能部から取得して画面に表示する過去断面再生画面表示機能部と、を有することを特徴とする。
【０００８】
また、前記のような実施形態の過去断面再生装置を用いた監視制御システムも本発明の実施形態の１つである。
【図面の簡単な説明】
【０００９】
【図１】本発明の各実施形態の過去断面再生装置を適用したシステム全体の構成図である。
【図２】本発明の第１の実施形態に係る過去断面再生装置の過去断面再生サーバ機能部の構成を示すブロック図である。
【図３】本発明の第１の実施形態に係る過去断面再生装置の過去断面再生画面表示機能部における管理画面の一例である。
【図４】本発明の第２の実施形態に係る過去断面再生装置の過去断面再生サーバ機能部の構成を示すブロック図である。
【図５】本発明の第３の実施形態に係る過去断面再生装置の過去断面再生サーバ機能部の構成を示すブロック図である。
【図６】本発明の第４の実施形態に係る過去断面再生装置の過去断面再生画面表示機能部の構成を示すブロック図である。
【図７】本発明の第４の実施形態におけるキャッシュの管理方法の説明図である。
【図８】本発明の第５の実施形態に係る過去断面再生装置の過去断面再生サーバ機能部の構成を示すブロック図である。
【図９】本発明の第５の実施形態に係る過去断面再生装置の過去断面再生画面表示機能部で表示されるイベント画面の一例である。
【図１０】本発明の第６の実施形態に係る過去断面再生装置の過去断面再生画面表示機能部の構成を示すブロック図である。
【図１１】本発明の第７の実施形態に係る過去断面再生装置の過去断面再生画面表示機能部の構成を示すブロック図である。
【発明を実施するための形態】
【００１０】
以下、本発明の実施形態について、図面を参照して具体的に説明する。
【００１１】
（システムの全体構成）
図１は、本発明の各実施形態の過去断面再生装置を適用したシステム全体の構成図である。
過去断面再生装置１０は、過去断面再生サーバ機能部１と過去断面再生画面表示機能部２とで構成され、通信機能６を介して監視制御装置２０と接続されている。監視制御装置２０は、監視制御サーバ機能部３と監視制御画面表示機能部４とで構成されている。また、過去断面再生装置１０の過去断面再生サーバ機能部１と過去断面再生画面表示機能部２、および監視制御装置２０の監視制御サーバ機能部３と監視制御画面表示機能部４は、それぞれ、単一又は複数の機器７と接続された保護制御装置５と通信機能６を介して接続されている。まず、従来装置である監視制御装置２０の動作について説明する。
【００１２】
（監視制御装置２０の作用）
機器７において何らかの変化があると、機器７に接続している保護制御装置５が状態変化を検出し、その情報を通信機能６を介して監視制御サーバ機能部３に通知する。監視制御サーバ機能部３は、保護制御装置５からの通知をもとに、監視制御情報の現在状態を更新する。更新された現在状態また状態の変化は、通信手段６を介して監視制御画面表示機能部４へ通知され、監視制御画面表示機能部４は、通知された情報を元に監視画面を更新する。
【００１３】
また、監視制御画面表示機能部４から操作者が制御操作を行った時には、上記とは逆向きで監視制御画面表示機能部４から通信機能６を介して制御指令が監視制御サーバ機能部３に通知され、それが保護制御装置５に通知されて、保護制御装置５に接続された機器７を制御する。制御された結果は、状態変化と同様に、保護制御装置５から監視制御サーバ機能部３を通じ、監視制御画面表示機能部４に通知され、監視制御画面が新たな状態に更新されて表示される。
【００１４】
次に、通信機能６を介して監視制御装置２０と接続される、特徴部分である過去断面再生装置１０について詳しく説明する。
【００１５】
［第１の実施形態］
本発明の第１の実施形態に係る過去断面再生装置について、図２及び図３を参照して説明する。
本実施形態の過去断面再生装置１０ａは、過去断面再生サーバ機能部１ａと過去断面再生画面表示機能部２とで構成される。
【００１６】
（過去断面再生サーバ機能部１ａの構成）
図２は、過去断面再生装置１０ａの過去断面再生サーバ機能部１ａの構成を示すものである。
過去断面再生サーバ機能部１ａは、状態変化記録処理部１０１と、データベース１１１と、状態変化配信処理部１０２とを備えている。
状態変化記録処理部１０１は、監視制御サーバ機能部３と接続し、監視制御サーバ機能部３から機器７の状態データを受信する。データベース１１１は、上記の状態データを受信時刻とともに記録する。状態変化配信処理部１０２は、過去断面再生画面表示機能部２から運転員により指定された過去の時刻に関してデータベース１１１から状態データを取得し、要求元に送信する。
【００１７】
（作用）
過去断面再生サーバ機能部１ａは、起動時に状態変化記録処理部１０１及び状態変化配信処理部１０２を起動する。
状態変化記録処理部１０１は、起動時に監視制御サーバ機能部３に接続し、監視制御サーバ機能部３が保持している全ての機器の状態を取得し、全状態としてデータベース１１１に保存する。その後、監視制御サーバ機能部３からの状態変化を常時受信し、状態変化としてデータベース１１１に保存する。
【００１８】
状態変化配信処理部１０２は、過去断面再生画面表示機能部２からの状態変化取得要求待ち状態とされている。状態変化配信処理部１０２は、２種類の要求を受け付けることができる。
（１）指定時刻の全ての機器の状態取得要求
（２）指定時刻範囲に発生した状態変化の取得要求
【００１９】
（１）の要求を受けた場合は、データベース１１１から指定時刻より以前の時刻に記録したデータの中から各機器の状態変化の最新記録をまとめて指定時刻断面の状態を復元し、要求元に送信する。
【００２０】
（２）の要求を受けた場合は、データベース１１１から指定時刻範囲の状態変化を収集し、それを要求元に送信する。
【００２１】
過去断面再生画面表示機能部２は、運転員により指定された過去の時刻を表示するとともに、指定された時刻の状態データを過去断面再生サーバ機能部１ａから取得し画面に反映する。
【００２２】
図３に、過去断面再生装置１０ａの過去断面再生画面表示機能部２における管理画面の一例を示す。
過去断面再生画面表示機能部２の管理画面は、過去時刻を指定する機能部２０１と、各機器の状態を表示する画面を指定する機能部２０２とを含んでいる。
【００２３】
運転員が表示したい過去時刻を管理画面の機能部２０１にて指定すると、過去断面再生画面表示機能部２は、過去断面再生サーバ機能部１ａに「指定時刻の全ての機器の状態取得要求」を行い、全ての機器の状態を取得する。
運転員が機能部２０２内の画面表示ボタン２０２ａを押すと、指定した過去時刻の状態を画面に表示する。また、運転員が機能部２０１内の再生ボタン２０１ａを押すと、過去断面再生サーバ機能部１ａに「指定時刻範囲に発生した状態変化の取得要求」を行い、受信した状態変化を表示中の画面に反映する。運転員は、時刻の経過より状態が連続的に変化する様子を確認することができる。
【００２４】
ここで、過去断面再生サーバ機能部１ａから取得できる情報は、監視制御サーバ機能部３が監視制御画面表示機能部４に送信する情報をすべて含んでおり、過去断面再生画面表示機能部２によって監視制御画面表示機能部４で表示している情報（たとえば単線結線図）を復元することができる。
【００２５】
（効果）
本実施形態の過去断面再生装置１０ａによれば、元の監視制御画面表示機能部４と同じ粒度で過去の断面を復元でき、過去断面再生画面表示機能部２にて、過去に起きた事象の解析を効率よく行うことができる。
【００２６】
また、本実施形態の過去断面再生装置１０ａでは、監視制御サーバ機能部３と監視制御画面表示機能部４との間の通信手段である通信機能６をそのまま利用して過去断面再生サーバ機能部１ａと監視制御サーバ機能部３との通信を行うため、新たな通信手段を設ける必要がなく、効率的である。
【００２７】
さらに、過去断面再生画面表示機能部２は、監視制御サーバ機能部３と監視制御画面表示機能部４との通信データを網羅していることにより、画面表示に関する機能は、監視制御画面表示機能部４と同等の機能を利用（流用）できる。このため、画面表示の粒度だけにとどまらず、見栄えや操作を含め、監視制御画面表示機能部４と類似したものを再現することが可能となる。
【００２８】
［第２の実施形態］
（構成）
本発明の第２の実施形態について図４を参照して説明する。なお、第１の実施形態と同一の構成の場合には同一の符号を付し、重複する図および説明は省略する。
【００２９】
本実施形態の過去断面再生装置１０ｂは、第１の実施形態の過去断面再生サーバ機能部１ａに代えて、過去断面再生サーバ機能部１ｂを備えている。過去断面再生サーバ機能部１ｂは、データベース１１１内にさらに定周期断面データ１１１ａを設けた以外は、過去断面再生サーバ機能部１ａと同様に構成されている。
【００３０】
本実施形態の定周期断面データ１１１ａは、監視制御装置２０の持つ現在状態断面のデータを全て保存する。ただし、そのまま保存したのでは容量が大きくなってしまうため、監視制御サーバ機能部３が持つデータ形式に変換された後のものを保存する。一般に、保護制御装置５から送信される状態変化データは多数の付随データがあるものの、それらを整理して監視制御サーバ機能部３が管理する。この状態を用いて保存することにより、定周期断面データ１１１ａでは状態変化の記録を実現する。更に、状態変化データにおいては、一つの機器の全ての状態を保存するのではなく、変化のあった情報のみを保存することで、保存容量を小さくする。
【００３１】
（作用）
本実施形態では、状態変化記録処理部１０１は、第１の形態における処理に加えて、一定の周期で全ての機器の状態を定周期断面データ１１１ａに記録する。
【００３２】
第１の実施形態では、状態変化配信処理部１０２は「指定時刻の全ての機器の状態取得要求」を受けた場合は、データベース１１１から指定時刻より以前の時刻に記録した全てのデータを検索する。これに対して、本実施形態では定周期断面データ１１１ａから指定時刻に過去方向で最も近い時刻の断面データを読み込み、その時刻と指定時刻の間に記録した状態変化データをデータベース１１１から取得することで、指定時刻の状態を得ることができる。これによりデータベース１１１の読み込み範囲を狭めることができ、高速に目的の時刻の状態を取得することができる。
【００３３】
（効果）
本実施形態の過去断面再生装置１０ｂによれば、特定の時間断面の状態を高速に復元することができ、過去断面再生画面表示機能部２による過去の事象の解析を効率よく進めることができる。
【００３４】
［第３の実施形態］
（構成）
本発明の第３の実施形態について図５を参照して説明する。なお、第１の実施形態と同一の構成の場合には同一の符号を付し、重複する図および説明は省略する。
【００３５】
本実施形態の過去断面再生装置１０ｃは、第１の実施形態の過去断面再生サーバ機能部１ａに代えて、過去断面再生サーバ機能部１ｃを備えている。過去断面再生サーバ機能部１ｃは、設備データ記録処理部１０３を新たに設けた点及びデータベース１１１内にさらに設備データ１１１ｂを設けた点以外は、過去断面再生サーバ機能部１ａと同様に構成されている。
【００３６】
設備データ記録処理部１０３は、監視制御サーバ機能部３に保存されている設備データを取得する。設備データ１１１ｂは、設備データ記録処理部１０３が取得した設備データを保存する。
【００３７】
（作用）
第１の実施形態では、監視制御サーバ機能部３にて設備データを変更するが、過去断面再生画面表示機能部２においては変更した設備データを取得する手段がなく、設備の追加・削除が反映されない。
【００３８】
これに対して、本実施形態では、状態変化記録処理部１０１が受信した状態変化の内容が監視制御サーバ機能部３における設備データ変更の状態変化である場合は、設備データ記録処理部１０３を起動する。設備データ記録処理部１０３は、監視制御サーバ機能部３に保存されている設備データを取得し、設備データ１１１ｂに保存する。
【００３９】
過去断面再生画面表示機能部２は、起動時に過去断面再生サーバ機能部１の設備データ１１１ｂを参照し、未取得の設備データが存在する場合は設備データが保存された時刻とともに取得し保存する。また、管理画面にて表示したい過去時刻を指定すると、過去断面再生画面表示機能部２に保存してある設備データから指定時刻に合致する設備データを読み込む。その後に過去断面再生サーバ機能部１ｃから状態を取得する。
以上により、過去断面再生画面表示機能部２において指定時刻の設備データを反映した状態を表示することが可能となる。
【００４０】
（効果）
本実施形態の過去断面再生装置１０ｃによれば、設備の追加・廃止にともなって変更された設備データおよび監視画面までも復元することができる。また、監視制御サーバの運用後に設備が追加・廃止された場合においても、過去断面を忠実に再現することが可能である。
【００４１】
［第４の実施形態］
（構成）
本発明の第４の実施形態について図６および図７を参照して説明する。なお、第１の実施形態と同一の構成の場合には同一の符号を付し、重複する図および説明は省略する。
【００４２】
本実施形態の過去断面再生装置１０ｄにおいて、過去断面再生画面表示機能部２ｄは、過去断面再生サーバ機能部１からデータを収集するデータ収集機能部２１０、キャッシュ用のデータベース２１１、指定時刻の断面を復元する状態復元機能部２１２、指定時刻の断面を保存する過去断面データ２１３およびディスプレイに表示する過去断面表示機能部２２０を備えている。上記構成により、第１の実施形態の過去断面再生画面表示機能部２に、さらに過去断面再生サーバ機能部１から状態データを先読みする機構を追加する。
【００４３】
（作用）
第１の実施形態では、過去断面再生画面表示機能部２にて時刻を指定すると、過去断面再生サーバ機能部１に対して指定時刻における状態の取得要求をその都度行う。この場合、過去断面再生サーバ機能部１からの応答を毎回待つことになる。
【００４４】
これに対して、本実施形態では、過去断面再生画面表示機能部２ｄにて現在表示中の時刻の前後一定の範囲の状態データを過去断面再生サーバ機能部１からあらかじめ取得し、主メモリであるデータベース２１１に保存する。運転員が現在表示中の時刻の近辺を指定した場合は、過去断面再生画面表示機能部２ｄのデータベース２１１に保存してある状態データを表示するので、過去断面再生サーバ機能部１の応答を待つ必要がなく、表示が完了するまでの時間が短縮される。
【００４５】
即ち、過去断面再生画面表示機能部２ｄでは、データ収集機能部２１０が過去断面再生サーバ機能部１を通じて一定範囲の状態をキャッシュ用のデータベース２１１に保管する。状態復元機能２１２は、指定時刻の断面をデータベース２１１を使って復元し、指定時刻の断面を過去断面データ２１３に保存する。その断面を過去断面表示機能２２０を通じでディスプレイに表示する。
【００４６】
ここで、データベース２１１では、図７に示す通り、指定時刻周辺の一定範囲をキャッシュしておくことにより、前後の時間帯を高速に再生させることができる。また、データベース２１１は、高速に再生するためのメモリで、一般的には計算機の主メモリを使用するため、メモリ容量に制限がある。このため、メモリを効率よく使用するために、現在表示中の時刻の進行に合わせて、より遠い時刻の状態データを破棄する機構も備える。
【００４７】
（効果）
本実施形態の過去断面再生装置１０ｄによれば、時間断面を高速に移動して再生することができ、過去の事象の解析の効率を向上することが可能である。
【００４８】
また、データベース２１１において、前回再生時刻と今回の再生時刻との差分のみを抽出する機能を付与することにより、現在表示している画面に「差分のみ反映」させれば、更に高速に再生することができる。特に、ビデオ映像などでは逆再生が困難であるが、監視制御装置２０においては、全ての設備の差分を求めることが可能であり、逆再生においても、「差分のみ反映」させれば完全に復元できる。このため、本実施形態の過去断面再生装置１０ｄによれば、順再生の場合も逆再生の場合も同様に、高速に実現することができる。
【００４９】
［第５の実施形態］
（構成）
本発明の第５の実施形態について図８および図９を参照して説明する。なお、第１の実施形態と同一の構成の場合には同一の符号を付し、重複する図および説明は省略する。
【００５０】
本実施形態の過去断面再生装置１０ｅは、第１の実施形態の過去断面再生サーバ機能部１ａに代えて、過去断面再生サーバ機能部１ｅを備えている。過去断面再生サーバ機能部１ｅは、イベント記録処理部１０４を新たに設けた点及びデータベース１１１内にさらにイベントデータ１１１ｃを設けた点以外は、過去断面再生サーバ機能部１ａと同様に構成されている。
【００５１】
イベント記録処理部１０４は、監視制御サーバ機能部３に保存されているイベント記録を取得する。イベントデータ１１１ｃは、イベント記録処理部１０４が取得したイベント記録を保存する。
【００５２】
（作用）
第１の実施形態では、運転員が表示させたい時刻を調べて過去断面再生画面表示機能部２で時刻を指定する。運転員が表示させたい時刻は何らかの変化が生じたときであるので、監視制御サーバ機能部３が保存するイベント発生時を表示するとともに、その時刻を表示することで使い勝手をよくする。
【００５３】
これに対して、本実施形態では、過去断面再生サーバ機能部１ｅの起動時にイベント記録処理部１０４を起動する。イベント記録処理部１０４は起動時に監視制御サーバ機能部３に接続し、監視制御サーバ機能部３が記録しているイベントデータを取得し、イベントデータ１１１ｃに記録する。過去断面再生画面表示機能部２は、イベントデータ１１１ｃからイベントデータを読み込み画面に表示する。運転員は、図９のイベントリストに表示されたイベントを選択することで、過去断面再生画面表示機能部２はそのイベントが発生した時刻の状態画面を表示する。このため、運転員は、イベントを選択することで再生時刻を特定し、その時刻の状態を復元できる。
【００５４】
（効果）
本実施形態の過去断面再生装置１０ｅによれば、既に存在するイベント一覧から時刻を指定でき、過去に起きた事象の解析のための効率を向上することができる。
【００５５】
［第６の実施形態］
(構成)
本発明に係る第６の実施の形態について図１０を参照して説明する。なお、第１の実施形態と同一の構成の場合には同一の符号を付し、重複する図および説明は省略する。
【００５６】
本実施形態の過去断面再生装置１０ｆにおける過去断面再生画面表示機能部２ｆの構成は、第４の実施形態の過去断面再生画面表示機能部２ｄと同様である。ただし、本実施形態では、過去断面の再生時に、特定の条件の断面をスキップ実行する機能を実現する。
【００５７】
過去断面を単に時刻を順送りして再生するのではなく、特定の条件に絞り込んで解析したいという要求がある。例えば、遮断機の入り切り状態の変化のみに着目して過去断面を再生するという目的が挙げられる。
【００５８】
通常、時刻通りに再生するのみの機能であれば、特定の条件になるまで再生を続けて視認してチェックするか、第５の実施形態のようにイベント記録を使って、特定の条件を探して時刻指定して再生しなければならない。しかし、過去の事象を再生する場合にそのような目的で再生することは少なく、実際には特定の機器のみの動作を確認するか、全ての機器の通信断を見るなどの特定条件を再生するのが効果的である。
【００５９】
本実施形態では第５の実施形態で説明した通り、特定の時間断面を指定する機能を有するため、さらに、特定の条件を設定する機能とその条件に合致した状態変化データを検索する処理を備えるだけで足りる。
【００６０】
（作用）
本実施形態において、過去断面再生画面表示機能部２ｆは、データベース２１１を用いて、特定の条件に合致する状態変化を探し、その時刻にスキップする。例えば、図３の画面例で示した「｜＜」ボタン２０１ｂを用いて、コマ送りするように、特定の条件の断面を再生する。この機能は、第４の実施形態により、既にサーバからキャッシュしているデータベース２１１を検索することで、実現することができる。
【００６１】
（効果）
本実施形態の過去断面再生装置１０ｆによれば、過去断面を順繰りに順再生・逆再生するだけでなく、特定の設備・特定の条件に絞り込んで時間をスキップして順再生・逆再生できるため、解析の効率を向上することができる。
【００６２】
［第７の実施形態］
（構成）
本発明に係る第７の実施の形態について図１１を参照して説明する。なお、第１の実施形態と同一の構成の場合には同一の符号を付し、重複する図および説明は省略する。
【００６３】
本実施形態の過去断面再生装置１０ｇは、第４の実施形態の過去断面再生画面表示機能部２ｄに代えて、過去断面再生画面表示機能部２ｇを備えている。過去断面再生画面表示機能部２ｇは、ファイル２３０、期間データファイル保存読み込み機能部２３１、断面データファイル保存読み込み機能部２３２を新たに設けた以外は、過去断面再生画面表示機能部２ｄと同様に構成されている。
【００６４】
ファイル２３０は、データベース２１１に保管されている情報を、一定の期間に絞って保管する。期間データファイル保存読み込み機能部２３１は、データベース２１１とファイル２３０との間で一定範囲のデータをやり取りする。断面データファイル保存読み込み機能部２３２は、過去断面データ２１３（時刻断面）とファイル２３０との間で一定範囲のデータをやりとりする。
【００６５】
（作用）
過去断面再生画面表示機能部２ｇにおいて、断面データファイル保存読み込み機能部２３２は、ファイル２３０に過去断面データを保管する。同様に、断面データファイル保存読み込み機能部２３２はファイル２３０から過去断面データを読み込み、過去断面データ２１３に反映させる。これにより、特定の時間断面のデータを保管することができる。
【００６６】
また、過去断面再生画面表示機能部２ｇにおいて、過去断面表示機能２２０で表示された情報を一部編集する機能を設け、それを過去断面データ２１３に伝達する。過去断面データ２１３は、伝達されたデータをもとに、一部のデータを編集し保管しておく。これにより、編集された結果をファイル２３０に保管することができる。
【００６７】
さらに、期間データファイル保存読み込み機能２３１は、データベース２１１に保管されている情報を一定の期間に絞ってファイル２３０に保管する。保管されたデータは、ファイル２３０から期間データファイル保存読み込み機能部２３１を通じてデータベース２１１に展開する。
【００６８】
データベース２１１に保管されたデータを再生する方法、および過去断面データ２１３に保管されたデータを過去断面表示機能部２２０を通じて画面表示する作用は、他の実施形態と同じであるので省略する。
【００６９】
（効果）
本実施形態の過去断面再生装置１０ｇによれば、過去断面再生画面表示機能部２ｇのみで再生可能なポータビリティデータをファイルにすることが可能となる。このため、過去断面再生サーバ機能部１のない環境でも過去断面を再生することが可能となり、解析の効率が向上する。また、解析のために過去断面再生サーバ機能部１の設置されている場所まで移動せずに済み、効率よく解析することができる。
【００７０】
[他の実施形態]
（１）上記の各実施形態で述べた構成は機能構成であり、例えば、監視制御サーバ機能部３と過去断面再生サーバ機能部１は同一の計算機上に配置しても良いし、個別の計算機上に配置しても良い。同様に、監視制御画面表示機能部４と過去断面再生画面表示機能部２を同一の計算機上に配置しても良い。更に、過去断面再生サーバ機能部１と過去断面再生画面表示機能部２も同一の計算機上に配置しても良い。一般に、監視制御サーバ機能部３は長時間連続運転が求められ、大容量の記憶装置または記録装置を搭載していない場合もあり、その場合には過去断面再生サーバ機能部１を別の計算機に配置することが好ましい。
【００７１】
（２）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７２】
１、１ａ、１ｂ、１ｃ、１ｅ…過去断面再生サーバ機能部
２、２ｄ、２ｆ、２ｇ…過去断面再生画面表示機能部
３…監視制御サーバ機能部
４…監視制御画面表示機能部
５…保護制御装置
７…機器
１０、１０ａ、１０ｂ、１０ｃ、１０ｄ、１０ｅ、１０ｆ、１０ｇ…過去断面再生装置
１０１…状態変化記録処理部
１０２…状態変化配信処理部
１０３…設備データ記録処理部
１０４…イベント記録処理部
１１１…データベース
１１１ａ…定周期断面データ
１１１ｂ…設備データ
１１１ｃ…イベントデータ
２０１…機能部
２０１ａ…再生ボタン
２０１ｂ…ボタン
２０２…機能部
２０２ａ…画面表示ボタン
２１０…データ収集機能部
２１１…データベース
２１２…状態復元機能部
２１３…過去断面データ
２２０…過去断面表示機能部
２３０…ファイル
２３１…期間データファイル保存読み込み機能部
２３２…断面データファイル保存読み込み機能部
【図１】
2015230644.tif 000003
【図２】
2015230644.tif 000004
【図３】
2015230644.tif 000005
【図４】
2015230644.tif 000006
【図５】
2015230644.tif 000007
【図６】
2015230644.tif 000008
【図７】
2015230644.tif 000009
【図８】
2015230644.tif 000010
【図９】
2015230644.tif 000011
【図１０】
2015230644.tif 000012
【図１１】
2015230644.tif 000013